【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
取付壁（２００）に取り付け可能な光ファイバー接合アッセンブリ（１００）であって、
前側部がファイバーを接合するための光ファイバー接合デバイス（１１）を取り付けるように構成されている接合パネル（１）；
ファイバー保管デバイス（１０）
を有して成り、
ファイバー保管デバイスの一方の端部が接合パネルに取り外し可能であるように取り付けられており、
ファイバー保管デバイス（１０）は、取付壁（２００）に取り付けられるブラケット（３）と、光ケーブルおよび/または光ファイバーを予め保管するためのリール（２）とを有して成り、
ブラケット（３）は、支持シャフト（３１）を有して成り、
リール（２）が引っ込み状態から拡大状態へと軸方向に移動できるように、リール（２）は支持シャフト（３１）に移動可能に供されており、並びに
ファイバー保管デバイス（１０）は、軸方向に移動可能であるようにリール（２）に接続されている第１端部、および軸方向に移動可能であるように支持シャフト（３１）に接続されている第２端部を有する中間シャフト（４）を更に有して成り、リール（２）は中間シャフト（４）に対して回転可能であり、リールは拡大状態および引っ込み状態の両方で回転可能である、光ファイバー接合アッセンブリ。
【請求項２】
リール（２）が取付壁（２００）の取付ホール（２０１）に位置付けられる引っ込み状態において、およびリール（２）が取付ホール（２０１）の外側に晒される拡大状態において、
リール（２）が拡大状態にある際、オペレーターは取付壁（２００）の外側からリール（２）に保管される光ケーブルまたは光ファイバーを繰り出すことが可能であり、および
リール（２）が引っ込み状態にある際、オペレーターは取付壁（２００）の内側からリール（２）に保管される光ケーブルまたは光ファイバーを繰り出すことが可能である、請求項１に記載の光ファイバー接合アッセンブリ。
【請求項３】
リール（２）は、支持シャフト（３１）に回転可能に供されている、請求項１に記載の光ファイバー接合アッセンブリ。
【請求項４】
リール（２）が中間シャフト（４）の第１端部に回転可能であるように係合されている、請求項１に記載の光ファイバー接合アッセンブリ。
【請求項５】
中間シャフト（４）が支持シャフト（３１）に対して回転することを抑制するために、中間シャフト（４）が輪郭適合する形態で支持シャフト（３１）に摺動可能であるように係合されている、請求項４に記載の光ファイバー接合アッセンブリ。
【請求項６】
中間シャフト（４）が、実質的にチューブ状の構造を有しており、支持シャフト（３１）に摺動可能に供されている、請求項４に記載の光ファイバー接合アッセンブリ。
【請求項７】
軸方向に延在する複数のスライド溝が、中間シャフト（４）の内面および支持シャフト（３１）の外面の一方に形成されており、また、
各スライド溝に摺動可能であるように適合させるための複数のスライド突出部が、中間シャフト（４）の内面および支持シャフト（３１）の外面の他方に形成されている、請求項６に記載の光ファイバー接合アッセンブリ。
【請求項８】
スライド溝が支持シャフト（３１）の外面に形成されており、また、スライド突出部が第１端部に隣接する中間シャフト（４）の内面に形成されている、請求項７に記載の光ファイバー接合アッセンブリ。
【請求項９】
支持シャフトの自由端部に隣接する位置において、第１ブロック突起部（３１２）および第１リミット突起部（３１３）がスライド溝に供され、また、
第１スライド方向に引っ込み状態から拡大状態へとリール（２）を変える際に、第１ブロック突起部（３１２）は、中間シャフト（４）が自由端部から外れることを阻止するためにスライド突出部と係止しており、第１リミット突起部（３１３）は、中間シャフト（４）が第１スライド方向とは反対の第２スライド方向に摺動することを制限するためにスライド突出部で留められている、請求項８に記載の光ファイバー接合アッセンブリ。
【請求項１０】
スライド溝が少なくとも１つの第１スライド溝および少なくとも１つの第２スライド溝を有して成り、スライド突出部が少なくとも１つの第１スライド突出部および少なくとも１つの第２スライド突出部を有して成り、
支持シャフトの自由端部に隣接する位置において、第１ブロック突起部が第１スライド溝に供され、支持シャフトの自由端部に隣接する位置において、第１リミット突起部が第２スライド溝に供され、また、
第１スライド方向に引っ込み状態から拡大状態へとリール（２）を変える際に、第１ブロック突起部（３１２）は、中間シャフト（４）が自由端部から外れることを阻止するために第１スライド突出部と係止しており、第１リミット突起部（３１３）は、中間シャフト（４）が第１スライド方向とは反対の第２スライド方向に摺動することを制限するために第２スライド突出部で留められている、請求項８に記載の光ファイバー接合アッセンブリ。
【請求項１１】
中間シャフト（４）の第１端部が、軸方向に移動可能な形態でリール（２）の円筒ボディに係合している、請求項４に記載の光ファイバー接合アッセンブリ。
【請求項１２】
円筒ボディに、該円筒ボディの第１端部の内側にあるリング突出部（２４）が供され、また、
リング突出部は、中間シャフトの第１端部に隣接する中間シャフトの外表面で回転可能であるように適合されている、請求項１１に記載の光ファイバー接合アッセンブリ。
【請求項１３】
複数の第２ブロック突起部が中間シャフトの第１端部に供され、リールを引っ込み状態から拡大状態に変える際に、リールが中間シャフトの第１端部から外れることを阻止するために、第２ブロック突起部は円筒ボディの第１端部から離れたリング突出部の側端と係止するように構成されている、請求項１２に記載の光ファイバー接合アッセンブリ。
【請求項１４】
複数の第２リミット突起部がリング突出部に供され、リング溝が中間シャフトの外表面に形成され、また、
リールを第１スライド方向に引っ込み状態から拡大状態に変える際に、中間シャフトが第１スライド方向とは反対の第２スライド方向に摺動することを制限するために、第２リミット突起部はリング溝で留まるように構成されている、請求項１３に記載の光ファイバー接合アッセンブリ。
【請求項１５】
リングスカート部が円筒ボディの第２端部の内側に供され、ギャップがリングスカート部と円筒ボディの内壁との間に形成され、また、
リールが引っ込み状態にある際に、リールが支持シャフトおよび中間シャフトに対して回転可能であるように、リングスカート部は中間シャフトの第２端部と支持シャフトの自由端部の間に位置付けられる、請求項１３に記載の光ファイバー接合アッセンブリ。
【請求項１６】
リングリミット突起部がリングスカート部に形成され、第３リミット突起部が支持シャフトの自由端部に供されており、また、
リングリミット突起部は、リールが引っ込み状態にある際に、リールが中間シャフトから離れて移動することを制限するために第３リミット突起部で留められている、請求項１５に記載の光ファイバー接合アッセンブリ。
【請求項１７】
ブラケットが、
支持シャフトが支持されるベース；および
ベースの端から延在する複数の支持アーム
を有して成り、
ブラケットが支持アームによって取付壁に取り付けられている、請求項２に記載の光ファイバー接合アッセンブリ。
【請求項１８】
取付壁の前側部に係合することが可能なフランジが支持アームの自由端部に供される、請求項１７に記載の光ファイバー接合アッセンブリ。
【請求項１９】
取付壁内に挿入することが可能な固定ピンがフランジに供される、請求項１８に記載の光ファイバー接合アッセンブリ。
【請求項２０】
ブラケットが、支持アームの端から延在する複数の群の位置決めデバイスを更に有して成り、また、
位置決めデバイスおよび支持アームが交互に配置されている、請求項１９に記載の光ファイバー接合アッセンブリ。
【請求項２１】
各群の位置決めデバイスが、相互に異なる長さを有する複数の位置決め弾性シートを有して成る、請求項２０に記載の光ファイバー接合アッセンブリ。
【請求項２２】
位置決め突起部が位置決め弾性シートに供される、請求項２１に記載の光ファイバー接合アッセンブリ。
【請求項２３】
支持アームが弾性を有し、支持アームにより形成される円周が取付ホールの径よりも大きな外径を有し、また、
支持アームが取付ホール内に取り付けられる際に、支持アームが弾性的に変形され、支持アームにより弾性圧が取付ホール内に支持アームを固定するために取付ホールにかかる、請求項１７に記載の光ファイバー接合アッセンブリ。
【請求項２４】
内側に向かって突出した複数の弾性片がベースに供される、請求項１７に記載の光ファイバー接合アッセンブリ。
【請求項２５】
中間シャフト（４）の第１端部が、回転可能で軸方向に摺動可能な形態で支持シャフトに接続されており、および中間シャフトの第２端部が、軸方向に移動可能な形態でリールに接続されている、請求項３に記載の光ファイバー接合アッセンブリ。
【請求項２６】
軸方向に延在する複数のスライド溝がリールの内面および支持シャフトの外面の一方に形成され、また、
各スライド溝に摺動可能であるように適合させるための複数のスライド突出部がリールの内面および支持シャフトの外面の他方に形成される、請求項１に記載の光ファイバー接合アッセンブリ。
【請求項２７】
軸方向に延在する複数のスライド溝がリールの外面および支持シャフトの内面の一方に形成され、また、
各スライド溝に摺動可能であるように適合させるための複数のスライド突出部がリールの外面および支持シャフトの内面の他方に形成される、請求項２６に記載の光ファイバー接合アッセンブリ。
【請求項２８】
スナップ−フィット法で接合パネルに固定される係合部を有したブラケットが更に形成される、請求項１に記載の光ファイバー接合アッセンブリ。
【請求項２９】
ネジと相まって取付壁に接合パネルを固定するための少なくとも２つの取付ホールが、接合パネルに供される、請求項１に記載の光ファイバー接合アッセンブリ。